(57)【要約】【課題】シール部材の構造を簡易化でき、防水性を確保することができるコネクタを提供する。【解決手段】側壁３に貫通孔５を有する筐体状の取付部材７と、この取付部材７の外部に配置され第１嵌合部９を有する第１コネクタ１１と、取付部材７の内部に配置され貫通孔５から挿入される第１嵌合部９と嵌合可能な第２嵌合部１３を有する第２コネクタ１５と、第１コネクタ１１の外周に設けられ第１嵌合部９と第２嵌合部１３とが嵌合した状態で貫通孔５に密着されて取付部材７の内部と外部とを区画するシール部材１７とを備えたコネクタ１において、取付部材７と第２コネクタ１５とに、貫通孔５と第２嵌合部１３との位置を合わせて第２コネクタ１５を取付部材７に保持させる保持手段１９を設けた。【選択図】図１
2015072797.tif 000002
【特許請求の範囲】
【請求項１】
側壁に貫通孔を有する筐体状の取付部材と、この取付部材の外部に配置され第１嵌合部を有する第１コネクタと、前記取付部材の内部に配置され前記貫通孔から挿入される前記第１嵌合部と嵌合可能な第２嵌合部を有する第２コネクタと、前記第１コネクタの外周に設けられ前記第１嵌合部と前記第２嵌合部とが嵌合した状態で前記貫通孔に密着されて前記取付部材の内部と外部とを区画するシール部材とを備えたコネクタであって、
前記取付部材と前記第２コネクタとには、前記貫通孔と前記第２嵌合部との位置を合わせて前記第２コネクタを前記取付部材に保持させる保持手段が設けられていることを特徴とするコネクタ。
【請求項２】
請求項１記載のコネクタであって、
前記保持手段は、前記取付部材と前記第２コネクタとのうちいずれか一方に設けられた一対のリブと、他方に設けられ前記一対のリブがそれぞれ挿入可能な一対の溝部とを有することを特徴とするコネクタ。
【請求項３】
請求項１又は２記載のコネクタであって、
前記第１コネクタには、前記第１嵌合部と前記第２嵌合部とが嵌合した状態で、前記取付部材の側壁に固定される固定部が設けられていることを特徴とするコネクタ。
【発明の詳細な説明】
【技術分野】
【０００１】
本発明は、コネクタに関する。
【背景技術】
【０００２】
従来、コネクタとしては、貫通孔を有する取付部材としての隔壁と、この隔壁の一側に配置され第１嵌合部を有する第１コネクタと、隔壁の他側に配置され貫通孔から挿入される第１嵌合部と嵌合可能な第２嵌合部を有する第２コネクタと、第１コネクタの外周に設けられ第１嵌合部と第２嵌合部とが嵌合した状態で貫通孔に密着されて隔壁の一側と他側とを区画するシール部材としてのグロメットとを備えたものが知られている（例えば、特許文献１参照）。
【０００３】
このコネクタでは、グロメットに、第１コネクタの外周に装着される内殻円筒部と、貫通孔に装着され内殻円筒部の外周に空間を介して同心的に配置される外殻円筒部と、内殻円筒部と外殻円筒部とを連結する蛇腹部とが設けられている。
【０００４】
このようなグロメットにより、第２コネクタが貫通孔の径方向や第１コネクタとの嵌合方向にズレて取り付けられていたりしても、グロメットの変位によって取付誤差を吸収することができ、第１コネクタと第２コネクタとを確実に嵌合させることができる。
【先行技術文献】
【特許文献】
【０００５】
【特許文献１】特開２００２−１５１２０９号公報
【発明の概要】
【発明が解決しようとする課題】
【０００６】
しかしながら、上記特許文献１のようなコネクタでは、取付部材の貫通孔に対して第２コネクタの第２嵌合部の位置決めがされていないので、第２コネクタの取付部材に対する取付位置がズレてしまうと、第２嵌合部の貫通孔に対する位置がズレてしまい、第２嵌合部に嵌合する第１コネクタの第１嵌合部も、第２嵌合部に追従して貫通孔に対する位置がズレてしまう。
【０００７】
このような第１嵌合部の貫通孔に対する位置ズレが起こると、第１コネクタに設けられたシール部材の貫通孔に対する密着を一定に得ることができなくなり、防水性が低下する恐れがあった。
【０００８】
また、上記特許文献１のコネクタでは、第２嵌合部の貫通孔に対する位置がズレていたとしても、シール部材に設けられた位置ズレを吸収する構造によって、防水性が低下することを抑制できるが、シール部材の構造自体が複雑化されていた。
【０００９】
そこで、この発明は、シール部材の構造を簡易化でき、防水性を確保することができるコネクタの提供を目的としている。
【課題を解決するための手段】
【００１０】
請求項１記載の発明は、側壁に貫通孔を有する筐体状の取付部材と、この取付部材の外部に配置され第１嵌合部を有する第１コネクタと、前記取付部材の内部に配置され前記貫通孔から挿入される前記第１嵌合部と嵌合可能な第２嵌合部を有する第２コネクタと、前記第１コネクタの外周に設けられ前記第１嵌合部と前記第２嵌合部とが嵌合した状態で前記貫通孔に密着されて前記取付部材の内部と外部とを区画するシール部材とを備えたコネクタであって、前記取付部材と前記第２コネクタとには、前記貫通孔と前記第２嵌合部との位置を合わせて前記第２コネクタを前記取付部材に保持させる保持手段が設けられていることを特徴とする。
【００１１】
このコネクタでは、取付部材と第２コネクタとに貫通孔と第２嵌合部との位置を合わせて第２コネクタを取付部材に保持させる保持手段が設けられているので、貫通孔と第２嵌合部との位置ズレが起こることがなく、第２嵌合部に嵌合する第１コネクタの第１嵌合部が第２嵌合部に追従して貫通孔に対して位置ズレを起こすことがない。
【００１２】
このため、第１コネクタに設けられたシール部材を貫通孔に対して一定に密着させることができ、シール部材に位置ズレを吸収する構造を設けなくても、防水性を確保することができる。
【００１３】
従って、このようなコネクタでは、シール部材の構造を簡易化でき、防水性を確保することができる。
【００１４】
請求項２記載の発明は、請求項１記載のコネクタであって、前記保持手段は、前記取付部材と前記第２コネクタとのうちいずれか一方に設けられた一対のリブと、他方に設けられ前記一対のリブがそれぞれ挿入可能な一対の溝部とを有することを特徴とする。
【００１５】
このコネクタでは、保持手段が一対のリブと、一対のリブがそれぞれ挿入可能な一対の溝部とを有するので、リブの溝部への挿入により、貫通孔と第２嵌合部とのあらゆる方向への位置ズレを防止でき、第２コネクタを取付部材に安定して保持させることができる。
【００１６】
請求項３記載の発明は、請求項１又は２記載のコネクタであって、前記第１コネクタには、前記第１嵌合部と前記第２嵌合部とが嵌合した状態で、前記取付部材の側壁に固定される固定部が設けられていることを特徴とする。
【００１７】
このコネクタでは、第１コネクタに第１嵌合部と第２嵌合部とが嵌合した状態で、取付部材の側壁に固定される固定部が設けられているので、第１コネクタに外力が加わったとしても、第１コネクタの取付部材に対する移動を防止でき、シール部材と貫通孔との密着性を安定化し、防水性を確保することができる。
【発明の効果】
【００１８】
本発明によれば、シール部材の構造を簡易化でき、防水性を確保することができるコネクタを提供することができるという効果を奏する。
【図面の簡単な説明】
【００１９】
【図１】本発明の実施の形態に係るコネクタの分解斜視図である。
【図２】（ａ）は本発明の実施の形態に係るコネクタの第１コネクタを嵌合させるときの斜視図である。（ｂ）は本発明の実施の形態に係るコネクタの取付部材の断面図である。
【図３】（ａ）は本発明の実施の形態に係るコネクタの第１コネクタを嵌合させたときの斜視図である。（ｂ）は図３（ａ）の断面図である。
【図４】本発明の実施の形態に係るコネクタの第１コネクタの斜視図である。
【図５】本発明の実施の形態に係るコネクタの第２コネクタの斜視図である。
【図６】本発明の実施の形態に係るコネクタの第２コネクタと基板とを組付けたときの側面図である。
【図７】本発明の実施の形態に係るコネクタの基板に組付けられた第２コネクタを取付部材に組付けるときの斜視図である。
【図８】本発明の実施の形態に係るコネクタの基板に組付けられた第２コネクタを取付部材に組付けたときの斜視図である。
【図９】本発明の実施の形態に係るコネクタの第２コネクタを取付部材に組付けるときの斜視図である。
【図１０】本発明の実施の形態に係るコネクタの第２コネクタを取付部材に組付けたときの斜視図である。
【発明を実施するための形態】
【００２０】
図１〜図１０を用いて本発明の実施の形態に係るコネクタについて説明する。
【００２１】
本実施の形態に係るコネクタ１は、側壁３に貫通孔５を有する筐体状の取付部材７と、この取付部材７の外部に配置され第１嵌合部９を有する第１コネクタ１１と、取付部材７の内部に配置され貫通孔５から挿入される第１嵌合部９と嵌合可能な第２嵌合部１３を有する第２コネクタ１５と、第１コネクタ１１の外周に設けられ第１嵌合部９と第２嵌合部１３とが嵌合した状態で貫通孔５に密着されて取付部材７の内部と外部とを区画するシール部材１７とを備えている。
【００２２】
そして、取付部材７と第２コネクタ１５とには、貫通孔５と第２嵌合部１３との位置を合わせて第２コネクタ１５を取付部材７に保持させる保持手段１９が設けられている。
【００２３】
また、保持手段１９は、第２コネクタ１５に設けられた一対のリブ２１，２１と、取付部材７に設けられ一対のリブ２１，２１がそれぞれ挿入可能な一対の溝部２３，２３とを有する。
【００２４】
さらに、第１コネクタ１１には、第１嵌合部９と第２嵌合部１３とが嵌合した状態で、取付部材７の側壁３に固定される固定部２５が設けられている。
【００２５】
図１〜図１０に示すように、取付部材７は、筐体状に形成され、内部に機器（不図示）などが収容されている。この取付部材７は、側壁３に内部と外部とを貫通する貫通孔５が設けられている。この貫通孔５には、外部から第１コネクタ１１の第１嵌合部９が内部に向けて挿入される。
【００２６】
第１コネクタ１１は、合成樹脂などの絶縁性材料からなり、第１嵌合部９と、固定部２５とを備えている。第１嵌合部９は、貫通孔５に挿入可能なように筐体状に形成され、内部に箱状の接続部を有する雌端子からなる第１端子２７が収容されている。
【００２７】
第１端子２７は、導電性材料からなり、機器や電源（不図示）などに接続された複数の電線２９の端末部に電気的に接続されている。この第１端子２７は、第１嵌合部９が取付部材７の貫通孔５に挿入され、第１嵌合部９が第２コネクタ１５の第２嵌合部１３と嵌合することにより、第２嵌合部１３内に収容された第２端子３９の接続部が挿入され、第１端子２７と第２端子３９とが電気的に接続される。
【００２８】
固定部２５は、電線２９の引き出し側に第１嵌合部９と連続する一部材で形成され、取付部材７の貫通孔５より大きくなるようにフランジ状に形成されている。この固定部２５には、ボルト挿通孔３１が設けられ、第１コネクタ１１の第１嵌合部９と第２コネクタ１５の第２嵌合部１３とが嵌合した状態で、ボルト３３を締結することによって固定部２５が取付部材７の側壁３に固定される。
【００２９】
このように固定部２５を取付部材７に固定することにより、電線２９に引張力などの外力が加わったとしても、固定部２５で外力を吸収することができ、第１コネクタ１１の第１嵌合部９と第２コネクタ１５の第２嵌合部１３との嵌合への影響を抑制することができる。
【００３０】
第２コネクタ１５は、合成樹脂などの絶縁性材料からなり、筐体状に形成され、一端側が開口され内部に第１コネクタ１１の第１嵌合部９が嵌合される第２嵌合部１３が設けられている。
【００３１】
この第２コネクタ１５は、電子部品（不図示）などが表面に実装された回路基板である基板３５の表面に載置され、ネジなどの固定部材３７を介して基板３５に固定される。この第２コネクタ１５の第２嵌合部１３内には、第２端子３９の接続部が配置される。
【００３２】
第２端子３９は、導電性材料からなり、Ｌ字状に形成され、一端側にタブ状に形成され第２嵌合部１３内に配置される接続部が設けられ、他端側に基板３５の導体部にはんだ付けなどを介して電気的に接続される基板接続部が設けられている。
【００３３】
このような第２端子３９を収容する第２コネクタ１５は、基板３５に組付けられた状態で、取付部材７内に収容される。この収容状態では、第２コネクタ１５の第２嵌合部１３の開口が取付部材７の貫通孔５に位置され、貫通孔５から第１コネクタ１１の第１嵌合部９を挿入することにより、第１嵌合部９と第２嵌合部１３とが嵌合され、第１端子２７と第２端子３９とが電気的に接続される。
【００３４】
このように取付部材７の貫通孔５に挿入される第１コネクタ１１の外周には、シール部材１７が設けられている。
【００３５】
シール部材１７は、ゴムなどの弾性材料からなり、環状に形成され、第１コネクタ１１の第１嵌合部９と固定部２５との間の外周に密着して装着される。また、シール部材１７の外径は、貫通孔５の内径より大きく設定されている。
【００３６】
このシール部材１７は、第１コネクタ１１の第１嵌合部９を取付部材７の貫通孔５に挿入することにより、外周面が貫通孔５の内周面に密着して配置される。このシール部材１７の貫通孔５への組付けにより、取付部材７の内部と外部とが区画され、取付部材７と第１コネクタ１１との間の防水性が確保される。
【００３７】
このように取付部材７の貫通孔５にシール部材１７を組付ける構造では、貫通孔５の内周面に対してシール部材１７の外周面を均等に締め付けることにより、防水性を確保することができる。
【００３８】
しかしながら、第２コネクタ１５の第２嵌合部１３の開口が取付部材７の貫通孔５に対して位置ズレして配置されている場合には、第２嵌合部１３に嵌合する第１コネクタ１１の第１嵌合部９も、第２嵌合部１３に追従して貫通孔５に対して位置ズレして配置されてしまう。
【００３９】
このような第１嵌合部９の貫通孔５に対する位置ズレが起こると、貫通孔５の内周面に対してシール部材１７の外周面を均等に締め付けることができず、防水性が低下してしまう恐れがあった。
【００４０】
そこで、取付部材７と第２コネクタ１５とには、第２コネクタ１５の第２嵌合部１３の開口が取付部材７の貫通孔５に対して位置ズレして配置されることを防止するために、保持手段１９が設けられている。
【００４１】
保持手段１９は、第２コネクタ１５に設けられた一対のリブ２１，２１と、取付部材７に設けられ一対のリブ２１，２１がそれぞれ挿入可能な一対の溝部２３，２３とを有する。
【００４２】
一対のリブ２１，２１は、第２コネクタ１５の第２嵌合部１３の開口縁の両側から幅方向の外方に向けて第２嵌合部１３と連続する一部材でそれぞれ延設されている。この一対のリブ２１，２１は、第２コネクタ１５を取付部材７に収容する際に、図７，図９の矢印で示すように、取付部材７の高さ方向の上側から下側に向けて一対の溝部２３，２３内にそれぞれ挿入される。
【００４３】
なお、一対のリブ２１，２１の挿入方向前側の先端は、一対の溝部２３，２３内への挿入を案内するように、傾斜状に形成されている。
【００４４】
一対の溝部２３，２３は、取付部材７の側壁３の貫通孔５の両側に、互いの開口を対向させるように側壁３と連続する一部材でそれぞれ凹状に形成されている。この一対の溝部２３，２３は、一対のリブ２１，２１が挿入された状態で、一対のリブ２１，２１の周囲を覆う。このとき、一対の溝部２３，２３の上面は、一対のリブ２１，２１の基端側に位置する第２コネクタ１５の下面に当接され、第２コネクタ１５の高さ方向下側への移動を規制する。
【００４５】
このように一対のリブ２１，２１を一対の溝部２３，２３に挿入することにより、第２コネクタ１５の第２嵌合部１３の開口が取付部材７の貫通孔５に対して位置を合わせた状態で、第２コネクタ１５が取付部材７に保持される。
【００４６】
この保持手段１９により第２コネクタ１５が取付部材７に保持された状態では、一対のリブ２１，２１の周囲に一対の溝部２３，２３が位置しているので、第２コネクタ１５の取付部材７に対するあらゆる方向への移動が規制されている。このため、第２コネクタ１５の第２嵌合部１３の開口は、取付部材７の貫通孔５に対して位置ズレを起こすことがない。
【００４７】
このように保持手段１９によって第２嵌合部１３の貫通孔５に対する位置ズレを防止することにより、第１嵌合部９が第２嵌合部１３に追従して貫通孔５に対して位置ズレを起こすことがなく、シール部材１７の外周面を貫通孔５の内周面に対して均等に締め付けることができる。
【００４８】
このようなコネクタ１では、取付部材７と第２コネクタ１５とに貫通孔５と第２嵌合部１３との位置を合わせて第２コネクタ１５を取付部材７に保持させる保持手段１９が設けられているので、貫通孔５と第２嵌合部１３との位置ズレが起こることがなく、第２嵌合部１３に嵌合する第１コネクタ１１の第１嵌合部９が第２嵌合部１３に追従して貫通孔５に対して位置ズレを起こすことがない。
【００４９】
このため、第１コネクタ１１に設けられたシール部材１７を貫通孔５に対して一定に密着させることができ、シール部材１７に位置ズレを吸収する構造を設けなくても、防水性を確保することができる。
【００５０】
従って、このようなコネクタ１では、シール部材１７の構造を簡易化でき、防水性を確保することができる。
【００５１】
また、保持手段１９は、一対のリブ２１，２１と、一対のリブ２１，２１がそれぞれ挿入可能な一対の溝部２３，２３とを有するので、リブ２１の溝部２３への挿入により、貫通孔５と第２嵌合部１３とのあらゆる方向への位置ズレを防止でき、第２コネクタ１５を取付部材７に安定して保持させることができる。
【００５２】
さらに、第１コネクタ１１には、第１嵌合部９と第２嵌合部１３とが嵌合した状態で、取付部材７の側壁３に固定される固定部２５が設けられているので、第１コネクタ１１に外力が加わったとしても、第１コネクタ１１の取付部材７に対する移動を防止でき、シール部材１７と貫通孔５との密着性を安定化し、防水性を確保することができる。
【００５３】
なお、本発明の実施の形態に係るコネクタでは、第２コネクタに一対のリブが設けられ、取付部材に一対の溝部が設けられているが、これに限らず、第２コネクタに一対の溝部を設け、取付部材に一対のリブを設けてもよい。
【００５４】
また、保持手段は、一対のリブと、一対の溝部とを有しているが、これに限らず、例えば、１つのリブと、１つの溝部とを有する構成、或いは凸部と、凹部とを有する構成など、互いに係合して第２嵌合部と貫通孔との位置合わせを行う構成であってもよい。
【００５５】
さらに、第１コネクタの固定部は、取付部材の側壁にボルトを介して固定されているが、これに限らず、接着手段、或いは係合手段などによって固定部を取付部材の側壁に固定させてもよい。
【符号の説明】
【００５６】
１…コネクタ
３…側壁
５…貫通孔
７…取付部材
９…第１嵌合部
１１…第１コネクタ
１３…第２嵌合部
１５…第２コネクタ
１７…シール部材
１９…保持手段
２１…リブ
２３…溝部
２５…固定部
【図１】
2015072797.tif 000003
【図２】
2015072797.tif 000004
【図３】
2015072797.tif 000005
【図４】
2015072797.tif 000006
【図５】
2015072797.tif 000007
【図６】
2015072797.tif 000008
【図７】
2015072797.tif 000009
【図８】
2015072797.tif 000010
【図９】
2015072797.tif 000011
【図１０】
2015072797.tif 000012